(57)【要約】      （修正有）【課題】得られる光沢度が手作業以上の水準である靴光沢装置を提供する。【解決手段】内部に閉鎖空間を形成し一側に開閉される靴投入口１１２を有するケース１１０と、靴を固定する靴安着板１３０と、オイル靴墨を靴の前部上面と左右側面に塗布する回転スポンジローラー１５３と、左右側面スポンジローラー１５７-１、１５７-２と、スポンジローラー１５３、１５７-１、１５７-２に靴墨を供給する手段１８０と、靴の前部上面と左右側面に熱風を噴射する熱風供給手段１９０と、ケース１１０内部に装着され内部温度を測定して送信する温度測定手段２００と、温度測定手段２００により測定される内部温度を設定温度範囲内に維持する温度制御部と、全般的な作動制御を行い加熱が設定時間の間実施されるようにする制御パネル２１０、等を含む靴光沢装置である。【選択図】図２
2011161209.tif 000002
【特許請求の範囲】
【請求項１】
内部に閉鎖空間を形成して一側に開閉される靴投入口１１２を有するケース１１０と、
前記靴投入口１１２近傍の前記ケース１１０内部に備えられ、投入される靴（ｓ）が安着されて位置固定される靴安着板１３０と、
オイル靴墨を供給され自動回転されながらそれぞれ前記靴（ｓ）の前部上面と左右側面を塗布するように平面的に三角配置される中央上面スポンジローラー１５３と、左右側面スポンジローラー１５７-１、１５７-２が装着されて前後方向へ移動されるが、初期には前記靴安着板１３０から離隔される後方側に位置し、作用時１回以上前進されて後進される前後走行体１５０と、
前記前後走行体１５０を前・後進させる走行駆動手段１６０と、
前記オイル靴墨を貯蔵していて前記中央上面スポンジローラー１５３及び前記左右側面スポンジローラー１５７-１、１５７-２に供給する靴墨供給手段１８０と、
前記ケース１１０の一側に形成される空気流入口１１４を介して流入される外部空気を吸入加熱して熱風にした後、熱風を移送して噴気される噴射ノズル１９８ａであって、前記靴（ｓ）の前部上面と左右側面に対して噴射する熱風供給手段１９０と、
前記ケース１１０内部に装着され内部温度を測定して送信する温度測定手段２００と、
前記温度測定手段２００において測定される内部温度が設定温度範囲内に維持されるように作動制御する温度制御部と、
使用者の命令の入力を受けて全般的な作動制御を行い加熱が設定時間の間実施されるようにする制御パネル２１０と、及び
前記中央上面スポンジローラー１５３と前記左右側面スポンジローラー１５７-１、１５７-２が前記オイル靴墨を前記靴安着板１３０上に安着された前記靴（ｓ）に塗布した後、前記靴（ｓ）から離れる時点で前記靴安着板１３０の近接される後方側の位置に垂直されるように位置され、内部空間を中間で閉鎖し前記熱風による加熱が效率的に実施されるようにするカーテン手段２１４と、を含む靴光沢装置。
【請求項２】
前記オイル靴墨は、
オイル成分を体積の５〜２０％含むものであって、
前記設定温度範囲は、
６０〜８０℃であり、
前記設定時間は、
３〜１０分であることを特徴とする請求項１に記載の靴光沢装置。
【請求項３】
前記靴安着板１３０上の前記靴（ｓ）の安着可否を感知する靴感知手段１４０と、
前記前後走行体１５０を上部に結合装着しながら前記前後走行体１５０の前後移動を案内するために両側に前後方向へ長く備えられる前後案内棒１７０ａからなる走行案内手段１７０と、をさらに含んで、
前記前後走行体１５０は、下端部が自由に前後方向へ回動可能となるようにヒンジ結合される、“┓”と類似形状であって、上端部下部に前記中央上面スポンジローラー１５３が左右方向へ回転可能に結合され、前記中央上面スポンジローラー１５３の一側に第１回転モーター１５４が装着され、２個のスプリング１５２-１、１５２-２によって前後方向へ弾性支持される立設カバー体１５１と、及び
左右両側に前後方向へ長く備えられるが後部側が自由に左右方向へ回動可能に結合され、前部側に前記左右側面スポンジローラー１５７-１、１５７-２がそれぞれ垂直方向へ回転可能に結合され、前記左右側面スポンジローラー１５７-１、１５７-２の下方に第２回転モーター１５８-１、１５８-２がそれぞれ装着され、前記左右側面スポンジローラー１５７-１、１５７-２の外側方には側方カバー体１５９-１、１５９-２がそれぞれ備えられ、それぞれ２個のスプリング１５６-１、１５６-２によって左右方向へ弾性支持される左右アーム部１５５-１、１５５-２と、
を含むように構成されることを特徴とする請求項１または２に記載の靴光沢装置。
【請求項４】
前記靴墨供給手段１８０は、
前記オイル靴墨を内部貯蔵し、貯蔵された前記オイル靴墨をパンピングして供給するパンピング手段１８２ａを有する靴墨貯蔵箱１８２と、
前記靴墨貯蔵箱１８２の前記パンピング手段１８２ａを作動させるパンピング作動手段１８４と、及び
前記靴墨貯蔵箱１８２からパンピングされる前記オイル靴墨を内部に移送し、前記中央上面スポンジローラー１５３と前記左右側面スポンジローラー１５７-１、１５７-２に供給するように中間において三つに噴気される靴墨移送ライン１８６と、
を含むように構成されることを特徴とする請求項１に記載の靴光沢装置。
【請求項５】
前記熱風供給手段１９０は、
前記ケース１１０上の前記空気流入口１１４内側に備えられ、外部空気を強制吸入する吸入ファン１９２と、
前記吸入ファン１９２によって吸入される空気を内部に移送する空気移送管１９４と、
前記空気移送管１９４を外側でコイル形態に巻くように備えられ、電源供給によって抵抗発熱する発熱コイル体１９６と、及び
前記空気移送管１９４から長く延長されるように備えられ、前記熱風を内部に移送し、中間において三つに噴気されてそれぞれ前記靴（ｓ）の前部上部と左右側方で前記噴射ノズル１９８ａを介して熱風を噴射する熱風移送管１９８と、を含むように構成されることを特徴とする請求項１に記載の靴光沢装置。
【請求項６】
前記オイル成分は、
ミンクオイル、蓖麻子オイル、ホホバオイルの中いずれ一つであるか配合されたことを特徴とする請求項２に記載の靴光沢装置。
【請求項７】
人足形状体であって、前記靴（ｓ）内部に挿入されて加熱されるによって、前記靴（ｓ）が原型復元されるようにする足形状体（ｆ）と、をさらに含んで構成されることを特徴とする請求項１に記載の靴光沢装置。
【請求項８】
前記オイル靴墨の１次塗布後、１次塗布された前記オイル靴墨を前記熱風によって加熱乾燥した後、前記オイル靴墨の２次塗布後、再び前記熱風によって加熱乾燥するように作動することを特徴とする請求項１に記載の靴光沢装置。
【発明の詳細な説明】
【技術分野】
【０００１】
本発明は靴光沢装置に関するものであって、さらに詳細にはオイル成分が体積の５〜２０％含有されたオイル靴墨を回転スポンジを用いて靴表面に充分に塗布した後、熱風導入による６０℃以上の高温雰囲気で一定時間維持させることによって手作業に比べられるし、それ以上の高い水準で光沢を発現させることができる靴光沢装置に関するものである。
【背景技術】
【０００２】
一般的に、靴が清潔ではなければ自分の品位に傷つけることはもちろん、他人に良い印象を与えることができないし、特にその表面が靴墨で保護されることができないと、見た目が不良であり、防水処理などができないので、その寿命が大幅に短縮される。
【０００３】
したがって、靴は周期的にその表面に靴墨が塗られて光沢処理され、以前にはその作業を人が直接手作業で行った。
【０００４】
最近には自動で靴を磨いてくれる機械装置が開発され、一部で便利に利用されているし、それは投入される靴に対して液状の靴墨を塗布した後、高速回転される毛ブラッシュで靴表面を繰り返して摩擦して光沢処理する。
【０００５】
しかし、それは自動化による便利性及び経済性を提供することはできるが、発現される靴の光沢程度が非常に低くて利用者を満足させることが全くできない問題点がある。
【０００６】
この問題点に対して考察して見ると、用いられる液状の靴墨は単純に一般的に手作業時に広く用いられる固状の靴墨（その造成は、主にワックス光沢剤、高分子エマルジョン、染料からなる）をエチルアルコール及び水でとかして液状化したものであって、それが靴表面に塗布された後、高速回転される毛ブラッシュによって数えきれなく繰り返して摩擦されるとしても、靴墨の均一な塗布は可能であるが発現される光沢水準は非常に低い。
【０００７】
これは手作業で靴を磨く時を考えて見ると、靴ブラッシュでいくら繰り返して摩擦しても光沢水準を全然高めることはできないし、したがって発現される光沢度が非常に微弱であるほかにはないものである。
【０００８】
関して、韓国では特に男性たちが靴の光沢度を非常に重要視して、靴の光沢度によって靴磨く人の選好度が決まる実情であることを勘案すると、低い光沢度の発現問題はすなわち該機械装置の效用性がないことを意味する。
【０００９】
さらに、手作業時、高い光沢を発現する方法は、シューズブラッシュで靴墨を均一につけた後、別で絨のような柔らかい布地で数多く繰り返して磨くことであって、その方式を機械化すると、高い光沢度を得ることができるが、事実上、布地ですきまもなく磨く作業は機械化が不可能であり、非常に長期間が必要となって非效率的である。
【発明の開示】
【発明が解決しようとする課題】
【００１０】
本発明は前記のような諸般の問題点を解決するために創案されたものであって、手作業に比べられるし、それ以上の非常に高い水準の光沢を效率的に出すことができる靴光沢装置を提供することにその目的がある。
【００１１】
本発明の前記目的とさまざまな長所は、この技術分野において熟練された人々によって本発明の望ましい実試例からさらに明確になる。
【課題を解決するための手段】
【００１２】
上述した目的を果たすための本発明の靴光沢装置は、内部に閉鎖空間を形成して一側に開閉される靴投入口１１２を有するケース１１０と、前記靴投入口１１２近傍の前記ケース１１０内部に備えられ、投入される靴（ｓ）が安着されて位置固定される靴安着板１３０と、オイル靴墨を供給され自動回転されながらそれぞれ前記靴（ｓ）の前部上面と左右側面を塗布するように平面的に三角配置される中央上面スポンジローラー１５３と、左右側面スポンジローラー１５７-１、１５７-２が装着されて前後方向へ移動されるが、初期には前記靴安着板１３０から離隔される後方側に位置し、作用時１回以上前進されて後進される前後走行体１５０と、前記前後走行体１５０を前・後進させる走行駆動手段１６０と、前記オイル靴墨を貯蔵していて前記中央上面スポンジローラー１５３及び前記左右側面スポンジローラー１５７-１、１５７-２に供給する靴墨供給手段１８０と、前記ケース１１０の一側に形成される空気流入口１１４を介して流入される外部空気を吸入加熱して熱風にした後、熱風を移送して噴気される噴射ノズル１９８ａであって、前記靴（ｓ）の前部上面と左右側面に対して噴射する熱風供給手段１９０と、前記ケース１１０内部に装着され内部温度を測定して送信する温度測定手段２００と、
【００１３】
前記温度測定手段２００において測定される内部温度が設定温度範囲内に維持されるように作動制御する温度制御部と、使用者の命令の入力を受けて全般的な作動制御を行い加熱が設定時間の間実施されるようにする制御パネル２１０と、及び前記中央上面スポンジローラー１５３と前記左右側面スポンジローラー１５７-１、１５７-２が前記オイル靴墨を前記靴安着板１３０上に安着された前記靴（ｓ）に塗布した後、前記靴（ｓ）から離れる時点で前記靴安着板１３０の近接される後方側の位置に垂直されるように位置され、内部空間を中間で閉鎖し前記熱風による加熱が效率的に実施されるようにするカーテン手段２１４と、を含む。
【００１４】
望ましくは、前記オイル靴墨は、オイル成分を体積の５〜２０％含むものであって、前記設定温度範囲は、６０〜８０℃であり、前記設定時間は、３〜１０分であることを特徴とする。
【００１５】
さらに望ましくは、前記靴安着板１３０上の前記靴（ｓ）の安着可否を感知する靴感知手段１４０と、
【００１６】
前記前後走行体１５０を上部に結合装着しながら前記前後走行体１５０の前後移動を案内するために両側に前後方向へ長く備えられる前後案内棒１７０ａからなる走行案内手段１７０と、をさらに含んで、前記前後走行体１５０は、下端部が自由に前後方向へ回動可能となるようにヒンジ結合される、“┓”と類似形状であって、上端部下部に前記中央上面スポンジローラー１５３が左右方向へ回転可能に結合され、前記中央上面スポンジローラー１５３の一側に第１回転モーター１５４が装着され、２個のスプリング１５２-１、１５２-２によって前後方向へ弾性支持される立設カバー体１５１と、及び左右両側に前後方向へ長く備えられるが後部側が自由に左右方向へ回動可能に結合され、前部側に前記左右側面スポンジローラー１５７-１、１５７-２がそれぞれ垂直方向へ回転可能に結合され、前記左右側面スポンジローラー１５７-１、１５７-２の下方に第２回転モーター１５８-１、１５８-２がそれぞれ装着され、前記左右側面スポンジローラー１５７-１、１５７-２の外側方には側方カバー体１５９-１、１５９-２がそれぞれ備えられ、それぞれ２個のスプリング１５６-１、１５６-２によって左右方向へ弾性支持される左右アーム部１５５-１、１５５-２と、を含むように構成されることを特徴とする。
【００１７】
また望ましくは、前記靴墨供給手段１８０は、前記オイル靴墨を内部貯蔵し、貯蔵された前記オイル靴墨をパンピングして供給するパンピング手段１８２ａを有する靴墨貯蔵箱１８２と、前記靴墨貯蔵箱１８２の前記パンピング手段１８２ａを作動させるパンピング作動手段１８４と、及び前記靴墨貯蔵箱１８２からパンピングされる前記オイル靴墨を内部に移送し、前記中央上面スポンジローラー１５３と前記左右側面スポンジローラー１５７-１、１５７-２に供給するように中間において三つに噴気される靴墨移送ライン１８６と、を含むように構成されることを特徴とする。
【００１８】
また望ましくは、前記熱風供給手段１９０は、前記ケース１１０上の前記空気流入口１１４内側に備えられ、外部空気を強制吸入する吸入ファン１９２と、前記吸入ファン１９２によって吸入される空気を内部に移送する空気移送管１９４と、前記空気移送管１９４を外側でコイル形態に巻くように備えられ、電源供給によって抵抗発熱する発熱コイル体１９６と、及び前記空気移送管１９４から長く延長されるように備えられ、熱風を内部に移送して、中間において三つに噴気されてそれぞれ前記靴（ｓ）の前部上部と左右側方で前記噴射ノズル１９８ａを介して熱風を噴射する熱風移送管１９８と、を含むように構成されることを特徴とする。
【００１９】
また望ましくは、前記オイル成分は、ミンクオイル、蓖麻子オイル、ホホバオイルの中いずれ一つであるか配合されたことを特徴とする。
【００２０】
また望ましくは、人足形状体であって、前記靴（ｓ）内部に挿入されて加熱されるによって、前記靴（ｓ）が原型復元されるようにする足形状体（ｆ）と、をさらに含んで構成されることを特徴とする。
【００２１】
また望ましくは、前記オイル靴墨の１次塗布後、１次塗布された前記オイル靴墨を前記熱風によって加熱乾燥した後、前記オイル靴墨の２次塗布後、再び前記熱風によって加熱乾燥するように作動することを特徴とする。
【発明の効果】
【００２２】
本発明によると、オイル成分が体積の５〜２０％混合されたオイル靴墨を回転スポンジで充分に塗布し、熱風によって形成される６０〜８０℃の高温雰囲気の下で一定時間維持させて光沢を発現するで、得られる光沢度が手作業に比べられるし、それ以上の水準であることができて使用者に充分な満足を与えることができる效果を達成することができる。
【図面の簡単な説明】
【００２３】
【図１】本発明の望ましい実施例による靴光沢装置の外装を示す概略斜視図である。
【図２】本発明の望ましい実施例による靴光沢装置の内部装置部を示す斜視図である。
【図３】本発明の望ましい実施例による靴光沢装置の内部装置部を示す分解斜視図である。
【図４】本発明の望ましい実施例による靴光沢装置の一部作用を示す図面である。
【図５】本発明の望ましい実施例による靴光沢装置の熱風発生可否を示す構成説明図である。
【図６】本発明の実施例による靴光沢装置のカーテン手段を示す構成説明図である。
【図７】本発明の実施例による靴光沢装置の利用において作業対象物である靴内部にマネキン足を挿入して利用することを示す構成説明図である。
【発明を実施するための最良の形態】
【００２４】
以下、添付された図面を参照して本発明の望ましい実施例を詳しく説明する。
【００２５】
図１は本発明の望ましい実施例による靴光沢装置の外装を示す概略斜視図であり、図２はその内部装置部を示す斜視図であり、図３はその内部装置部に対する分解斜視図である。
【００２６】
本発明による靴光沢装置１００に適用される光沢発現の原理は、既存の液状の靴墨にミンクオイル、蓖麻子オイル、ホホバオイル（熱帯実油）のようなオイル成分を体積の５〜２０％混合してオイル靴墨を調合して用いるし、該オイル靴墨をスポンジにつけて靴表面に十分で均一に塗布した後、６０〜８０℃の高温雰囲気下で一定時間（たとえば、３〜１０分）維持させて高光沢が自然発現されるようにするものである。
【００２７】
これによって発現される光沢度は絨を用いてよく言われている火で光沢を出す方法や水で光沢を出す方法で処理した手作業に準するか、それ以上に発現されるし、既存の知られている使い捨ての液状靴墨を塗った時に現われる油をそのまま塗ったような感じは全然出ないし、非常に高品位の光沢を出すことができる。
【００２８】
この際、靴表面に直接ヒーターのような熱源を配置し直接的に加熱すると、靴の接合部位が破損されるなど、靴の損傷が起こることがあるので、閉鎖された空間に熱風を入れて靴を一定時間維持させることによって、靴損傷を遮断しながら適合に加熱させることができる。
【００２９】
そして、本発明によると、従来のように靴墨を塗った後、物理的に繰り返して摩擦させなくてもできるし、ただ靴表面にオイル靴墨だけを十分で均一に塗布させることさえできれば良いので、毛ブラッシュの代わりにスポンジを用いるし、該スポンジはそれに対して供給されるオイル靴墨を吸収していて接触される靴表面に伝達し充分に塗布されるようにする。
【００３０】
詳細に、本発明による靴光沢装置１００は、内部に閉鎖空間を形成して全面側に開閉される靴投入口１１２を有するケース１１０と、靴投入口１１２近傍のケース１１０内部に備えられ、投入される靴（ｓ）が安着されて位置固定される靴安着板１３０と、オイル靴墨を供給され自動回転されながらそれぞれ靴（ｓ）の前部上面と左右側面を塗布するように平面的に三角配置される三つのスポンジローラー１５３、１５７-１、１５７-２が装着されて前後方向へ移動されるが、初期には靴安着板１３０から離隔される後方側に位置し、作動時１回以上前進されて後進される前後走行体１５０と、前後走行体１５０を前・後進させる走行駆動手段１６０と、オイル靴墨を貯蔵していて三つのスポンジローラー１５３、１５７-１、１５７-２に供給する靴墨供給手段１８０と、ケース１１０の一側に形成される空気流入口１１４を介して流入される外部空気を強制吸入した後、加熱して熱風にした後、熱風を移送して噴気される噴射ノズル同士１９８ａで靴（ｓ）の前部上面と左右側面に対して噴射する熱風供給手段１９０と、ケース１１０内部の靴安着板１３０隣接部位に装着され内部温度を測定して送信する温度測定手段２００と、温度測定手段２００において測定される内部温度が６０〜８０℃の温度範囲内で維持されるように作動制御する温度制御部味到の時と、使用者の命令の入力を受けて全般的な作動制御を行う制御パネル２１０を含む。
【００３１】
前記ケース１１０は内部に閉鎖空間を形成するものであって、その閉鎖空間には作業対象物である靴（ｓ）が投入され、投入された靴（ｓ）に対してオイル靴墨を塗布した後、熱風加熱する装置要素らが設けられ、高温雰囲気形成空間に用いられる。
【００３２】
前記ケース１１０の全面側には靴投入口１１２が貫通されるように形成されていて、前記靴投入口１１２を介して作業対象物である靴（ｓ）が投入され作業完了した靴（ｓ）が取出される。
【００３３】
ここで、靴投入口１１２は開閉ドア１２０によって開閉され、すなわち靴（ｓ）の投入または取出時には開閉ドア１２０が開放され、作動時には閉鎖される。
【００３４】
ケース１１０の一側には熱風になる外部空気が流入される空気流入口１１４が形成され、また他の一側には内部に充填される熱風空気が外部排出されるための空気排出口１１６が形成される。
【００３５】
さらに、ケース１１０の内側面は断熱処理されるか、遮音処理されることが望ましい。
【００３６】
前記靴安着板１３０は作業対象物である靴（ｓ）が安着される部分であって、安着された靴（ｓ）が前後左右に流動されない構造を有する。
【００３７】
望ましくは、靴安着板１３０は靴（ｓ）のような平面的な外郭形状を有するが、靴（ｓ）底面の段差のある形状を型合するように中間において高さの段差があるように変更される構造を有し、左右側面スポンジローラー１５７-１、１５７-２と干渉されずに、安着された靴（ｓ）の流動を遮断するために必要となる端部に流動防止枠１３０ａが少し上方突出されるように形成される。
【００３８】
本発明による靴光沢装置１００は、靴安着板１３０上に作業対象物である靴（ｓ）が安着されたことが確認される場合のみ作動開始されることが望ましいし、これをためにセンサーまたはスィッチであることができる靴感知手段１４０が備えられ、該靴感知手段１４０は、靴安着板１３０上やその周辺に適切に備えられることができる。
【００３９】
前記前後走行体１５０は、望ましくは一定面積を有する水平の板体からなることができるし、その上に平面的に三角配置を成すように中央上面スポンジローラー１５３と、左右側面スポンジローラー１５７-１、１５７-２が装着される。
【００４０】
この際、中央上面スポンジローラー１５３と、左右側面スポンジローラー１５７-１、１５７-２が三角配置を成すように備えられる理由は、左右側面スポンジローラー１５７-１、１５７-２が接触するようになる靴（ｓ）の側面は前後方向へ長さが長く、中央上面スポンジローラー１５３が接触するようになる靴（ｓ）の前部上面は前後方向への長さが相対的に短いためである。
【００４１】
中央上面スポンジローラー１５３は靴（ｓ）上面の左右に広い水平面に対し、オイル靴墨を円滑に塗布することができるように水平方向ぬ装着され、左右側面スポンジローラー１５７-１、１５７-２は靴（ｓ）側面の上下に広い垂直面に対応することができるように垂直方向へ装着される。
【００４２】
さらに、中央上面スポンジローラー１５３は靴（ｓ）上面の左右端部側まで円滑に塗布することができるように外面中央部が適切に陷沒される形状を有することができる。
【００４３】
中央上面スポンジローラー１５３は前後走行体１５０の上面に対し下端部が自由に前後方向へ回動可能となるようにヒンジ結合される、“┓”と類似形状の立設カバー体１５１の上端部下部にぶら下がる方式で回転可能に結合される。
【００４４】
そして、該中央上面スポンジローラー１５３を回転作動させることができるように、その一側方には第１回転モーター１５４が結合される。
【００４５】
ここで、立設カバー体１５１にぶら下がった中央上面スポンジローラー１５３が作動時、靴（ｓ）の前部上面を乗りこむことによっては、立設カバー体１５１が自由に後方側に少しそり返ってぶら下がった中央上面スポンジローラー１５３の高さが上がり、一方それが靴（ｓ）の前部上面から離れることによっては、立設カバー体１５１が自由に前方側に少しそり返ることによって、中央上面スポンジローラー１５３が常時靴（ｓ）の前部上面の屈曲に対応して密着することができるようにするために、立設カバー体１５１は２個のスプリング１５２-１、１５２-２を介して前後方向へ弾性支持される。
【００４６】
すなわち、図示のように、立設カバー体１５１を常時前方の下部側から下方に引張るように一応前後走行体１５０の上面に結合され、他段は立設カバー体１５１の一定高さに結合されるようにコイルスプリング形態の第１-１スプリング１５２-１が備えられ、また常時立設カバー体１５１を後方側に押し出すように前後走行体１５０の上面と、立設カバー体１５１の下端部の間にトーションスプリング形態の第１-２スプリング１５２-２とが備えられる。
【００４７】
立設カバー体１５１の上端部は、中央上面スポンジローラー１５３の上部側を閉鎖し、中央上面スポンジローラー１５３の回転時に靴墨が外部に飛ぶことを遮断する。
【００４８】
左右側面スポンジローラー１５７-１、１５７-２は、前後走行体１５０に対して後部側がそれぞれ自由に左右方向へ回動可能となるように結合され、前方側に長く延長されて備えられる左右アーム（ａｒｍ）部１５５-１、１５５-２の前部に立設され回転可能に結合される。
【００４９】
ここで、両側左右アーム部１５５-１、１５５-２がそれぞれ左右方向へ自由に回動することができることによって、それらに装着された左右側面スポンジローラー１５７-１、１５７-２の位置が変更されて円滑に靴（ｓ）側面を常時密着することができる。
【００５０】
関して、作動時に左右アーム部１５５-１、１５５-２の前部側に結合された左右側面スポンジローラー１５７-１、１５７-２が靴（ｓ）側面の屈曲に対応されながら常時密着することができるようにするために、左右アーム部１５５-１、１５５-２は、それぞれ２個のスプリング１５６-１、１５６-２を介して左右方向へ弾性支持される。
【００５１】
すなわち、示されたように、各アーム部１５５-１、１５５-２を常時左側方向へ引くようにコイルスプリング形態の第２-１スプリング１５６-１が備えられ、また常時それを右側方向へ引くようにコイルスプリング形態の第２-２スプリング１５６-２が備えられる。
【００５２】
さらに、左右側面スポンジローラー１５７-１、１５７-２を回転作動させることができるように、その下方にはそれぞれ第２回転モーター１５８-１、１５８-２が結合される。
【００５３】
また、左右側面スポンジローラー１５７-１、１５７-２の近接される外側方には側方カバー体１５９-１、１５９-２がそれぞれ備えられ、その回転時、靴墨が外部に飛ぶことを遮断する。
【００５４】
前記三つのスポンジローラー１５３、１５７-１、１５７-２は、それぞれその中心軸にスポンジがリング状に結合されたものである。
【００５５】
さらに、三つのスポンジローラー１５３、１５７-１、１５７-２は、オイル靴墨を転移して靴（ｓ）表面につけることだけすると良いし、それが非常に高速に回転されると、塗布されるオイル靴墨が一側に偏重されたり、泡が発生されて望ましくないので、適正な低速で回転される。
【００５６】
前記走行駆動手段１６０は、作動時、前後走行体１５０を前・後進させる駆動力を発生させて伝達する。
【００５７】
該走行駆動手段１６０は具体的に、回転駆動力を発生させる正・逆回転可能な走行駆動モーター１６０ａと、走行駆動モーター１６０ａの回転作動によって無限軌道方式に回転されるが、前後方向へ長く備えられる無限軌道１６０ｂで構成することができるし、その無限軌道１６０ｂに対して前後走行体１５０が結合され、無限軌道１６０ｂの前後移動によって前後走行体１５０が前進または後進することができる。
【００５８】
この際、走行距離はあらかじめ設定された走行駆動モーター１６０ａに対する作動制御によるか、別途のリミットセンサーの装着によって決定することができる。
【００５９】
さらに、望ましく前後走行体１５０を上部に結合装着し、それが円滑に走行することができるようにしながら、またその前後移動を案内するための走行案内手段１７０がさらに備えられることができるし、その走行案内手段１７０は前後走行体１５０の両側に前後方向へ貫通されるように形成されるスライディング結合孔１５０ａに結合され、前後方向へ長く備えられる前後案内棒１７０ａに具現することができる。
【００６０】
前記の靴墨供給手段１８０は、オイル靴墨を貯蔵していて作動時に三つのスポンジローラー１５３、１５７-１、１５７-２に供給するものであって、オイル靴墨を内部貯蔵した状態でケース１１０内部の所定位置に装着され、貯蔵されたオイル靴墨をパンピングして供給するパンピング手段１８２ａを有する靴墨貯蔵箱１８２と、制御パネル２１０の作動制御によって作動され、靴墨貯蔵箱１８２のパンピング手段１８２ａを押す方式で作用されオイル靴墨の供給が実行されるようにするパンピング作動手段１８４と、靴墨貯蔵箱１８２でパンピングされるオイル靴墨を内部に移送し、三つのスポンジローラー１５３、１５７-１、１５７-２に供給するように中間において三つに噴気される靴墨移送ライン１８６で構成することができる。
【００６１】
勿論、パンピング作動手段１８４とパンピング手段１８２ａが一体化されるように具現されることもできる。
【００６２】
前記の熱風供給手段１９０は、ケース１１０の一側に形成される空気流入口１１４を介して流入される外部空気を強制吸い込んで加熱することによって、熱風にした後、該熱風を移送し靴（ｓ）に対して噴射する。
【００６３】
該熱風供給手段１９０は図５を参照すると、具体的に、ケース１１０上の空気流入口１１４内側に備えられ、外部空気を強制吸入する吸入ファン１９２と、その吸入ファン１９２によって吸入される空気を内部に移送する空気移送管１９４と、空気移送管１９４を外側でコイル形態に巻くように備えられ、電源供給によって抵抗発熱する発熱コイル体１９６と、空気移送管１９４から長く延長されるように備えられ、熱風を内部に移送するし、中間において三つに噴気されてそれぞれ靴（ｓ）の前部上部と左右側方で噴射ノズル１９８ａを介して熱風を噴射する熱風移送管１９８で構成することができる。
【００６４】
ここで、空気移送管１９４は、熱伝導度の優れる材質で形成される。
【００６５】
前記の温度測定手段２００は、ケース１１０内部の靴安着板１３０の隣接部位に装着され内部温度を測定して送信する。
【００６６】
前記温度制御部は、温度測定手段２００において測定される内部温度が６０〜８０℃の温度範囲内で維持されるように発熱コイル体１９６に供給される電源を作動制御する。
【００６７】
前記の制御パネル２１０は使用者の命令の入力を受けて、全般的な作動制御を行い、加熱が設定時間の間実施されるようにする。
【００６８】
勿論、制御パネル２１０と温度制御部は一体化されるように具現されることもできる。
【００６９】
さらに、本発明による靴光沢装置１００は示されたように、スピーカー部２１２を備え、その作動時に知らせメッセージを外部に表出することもできる。
【００７０】
また、本発明による靴光沢装置１００は、三つのスポンジローラー１５３、１５７-１、１５７-２がオイル靴墨を靴安着板１３０上に安着された靴（ｓ）に塗布した後、靴（ｓ）から離れる時点で靴安着板１３０の近接される後方側の位置に垂直されるように位置され、内部空間を中間で閉鎖することによって、加熱空間を縮小化させ迅速に加熱が実施されるようにするためのカーテン（ｃｕｒｔａｉｎ）手段２１４がさらに備えられることが良い（図６参照）。
【００７１】
すなわち、カーテン手段２１４が必要時点でケース１１０内部空間を中間で阻むことによって、前後に分離され靴安着板１３０が位置された方の空間が狭小化されるようにし、その狭小された空間だけに熱風が導入され、さらに迅速に目標温度に加熱されるようにすることによって、迅速で效率的な加熱が実施することができる。
【００７２】
勿論、カーテン手段２１４は、前後案内棒１７０ａなどのような他の構成要素と干渉される部分は避けながら閉鎖すると、敢えて完全に密閉されるように閉鎖する必要はないし、最大限閉鎖することができるように構成されると良い。
【００７３】
該カーテン手段２１４は、前後走行体１５０の前・後進に機械的に連動され自動開閉されるように構成されたり、それとも図６に示されたように、カーテン２１４ａがケース１１０の上板の底面に位置されていて、別途のカーテン駆動モーター２１４ｂの作動によって下ろされ空間分離され、使用完了後に上昇されるように構成することができる。すなわち、従来の防犯シャッターなどの構成方式を採択して具現することができる。
【００７４】
さらに、本発明によると、靴（ｓ）を熱風加熱するで、それによって曲がったり変形された靴（ｓ）の原型を修復させることができる付加機能も提供することができるが、その際、復元がより完璧になるように、図７に示したように、投入される靴（ｓ）の内部に人足形状を有するマネキン足のような足形状体（ｆ）を挿入することができる。
【００７５】
以上のような構成を有する本発明による靴光沢装置１００の望ましい作用例に対し、以下説明する。
【００７６】
使用者は作業対象物である靴（ｓ）に足形状体（ｆ）を挿入したまま該靴（ｓ）を靴投入口１１２を介して内部投入し靴安着板１３０上に安着させる。
【００７７】
そして、使用者の手動操作や制御パネル２１０の作動制御によって開閉ドア１２０が閉まる。
【００７８】
その後、使用者の命令入力などによって制御パネル２１０の作動制御によって自動に装置が作動する。
【００７９】
先ず、第１回転モーター１５４と第２回転モーター１５８-１、１５８-２が作動され、スポンジローラーら１５３、１５７-１、１５７-２が回転され、パンピング作動手段１８４が作動され、スポンジローラーたち１５３、１５７-１、１５７-２にオイル靴墨が供給されるし、走行駆動モーター１６０ａが作動されて前後走行体１５０が前進される。
【００８０】
前後走行体１５０が前進されることによって左右側面スポンジローラー１５７-１、１５７-２が靴（ｓ）側面を接触してオイル靴墨を１次塗布し、また中央上面スポンジローラー１５３が靴（ｓ）の前部上面を接触してオイル靴墨を１次塗布する。
【００８１】
その後、前後走行体１５０は後進されて位置復帰された後、走行駆動モーター１６０ａ、第１回転モーター１５４、第２回転モーター１５８-１、１５８-２、パンピング作動手段１８４が適切に止まる。
【００８２】
さらに、カーテン手段２１４によって内部空間が中間で分離され、その後、吸入ファン１９２と発熱コイル体１９６が作動されて熱風を作り、靴（ｓ）が位置された内部空間に噴射する。
【００８３】
噴射された熱風によって靴（ｓ）が位置された内部空間の温度が６０〜８０℃範囲になった後、一定時間約（３〜４分）維持され１次塗布されたオイル靴墨が乾燥する。
【００８４】
さらに、カーテン手段２１４が逆に作動され両側の内部空間が相互連通されるように開放された後、再び第１回転モーター１５４、第２回転モーター１５８-１、１５８-２、パンピング作動手段１８４及び走行駆動モーター１６０ａが作動され、前後走行体１５０が前進されて後進されることによって靴（ｓ）上にオイル靴墨が２次塗布される。
【００８５】
その後、再びカーテン手段２１４によって内部空間が中間で分離された後、再び設定温度６０〜８０℃で一定時間約（３〜４分）追加加熱され、２次塗布されたオイル靴墨が乾燥する。
【００８６】
その次、全て止められることによって、すべての作業が終わる。
【００８７】
以後、開閉ドア１２０が開放され、使用者は作業完了した靴（ｓ）を取出する。
【００８８】
以上のように、オイル靴墨を２回以上塗布する理由は、１次塗布されたオイル靴墨が先に靴（ｓ）に充分に吸収されるようにした後、２次塗布されたオイル靴墨によって優秀な光沢が発揮されるようにするためである。
【００８９】
この際、１次塗布されたオイル靴墨が完全に乾燥した後、２次塗布が実施されなければならないし、仮に１次塗布されたオイル靴墨が完全に乾燥されていない状態で２次塗布のためにスポンジローラー同士１５３、１５７-１、１５７-２が通ると、すぐ跡が発生されるので、望ましくない。
【００９０】
勿論、２回以上さらに多い回数を繰り返して塗布を実施して加熱すると、さらに立派な光沢が発現することができる。
【００９１】
これによって、本発明によると、専用のオイル靴墨を用いて熱風による加熱方式で光沢を出すので、得られる光沢度が手作業に比べられるし、それ以上に発現することができる。
【００９２】
また、熱風による加熱を実施するで、曲がったり変形された靴（ｓ）の原型を修復させることもでき、一部細菌を消滅させクリーニングすることができる付加的機能も提供することができる。
【００９３】
最後に、本発明による靴光沢装置１００に用いられるオイル靴墨の一造成は次の表のようである。
【００９４】
【表１】
2011161209.tif 000003
【００９５】
以上、前記内容は本発明の望ましい一実施例を敢えて例示したものであって、本発明の当業者は本発明の要旨を変更させることなく本発明に対する修正と変更を加えることができることを認知しなければならない。
【符号の説明】
【００９６】
１００：靴光沢装置
１１０：ケース
１１２：靴投入口
１１４：空気流入口
１１６：空気排出口
１２０：開閉ドア
１３０：靴安着板
１３０ａ：流動防止枠
１４０：靴感知手段
１５０：前後走行体
１５０ａ：スライディング結合孔
１５１：立設カバー体
１５２-１：第１-１スプリング
１５２-２：第１-２スプリング
１５３：中央上面スポンジローラー
１５４：第１回転モーター
１５５-１、１５５-２：左右アーム部
１５６-１：第２-１スプリング
１５６-２：第２-２スプリング
１５７-１、１５７-２：左右側面スポンジローラー
１５８-１、１５８-２：第２回転モーター
１５９-１、１５９-２：側方カバー体
１６０：走行駆動手段
１６０ａ：走行駆動モーター
１６０ｂ：無限軌道
１７０：走行案内手段
１７０ａ：前後案内棒
１８０：靴墨供給手段
１８２：靴墨貯蔵箱
１８２ａ：パンピング手段
１８４：パンピング作動手段
１８６：靴墨移送ライン
１９０：熱風供給手段
１９２：吸入ファン
１９４：空気移送管
１９６：発熱コイル体
１９８：熱風移送管
１９８ａ：噴射ノズル
２００：温度測定手段
２１０：制御パネル
２１２：スピーカー部
２１４：カーテン手段
２１４ａ：カーテン
２１４ｂ：カーテン駆動モーター
（ｆ）：足形状体
（ｓ）：靴
【図１】
2011161209.tif 000004
【図２】
2011161209.tif 000005
【図３】
2011161209.tif 000006
【図４】
2011161209.tif 000007
【図５】
2011161209.tif 000008
【図６】
2011161209.tif 000009
【図７】
2011161209.tif 000010